(57)【要約】【課題】メンテナンス作業の作業能率を向上させることが可能となるトウモロコシ収穫機を提供する。【解決手段】機体前部に位置して収穫物を収穫する収穫部４と、収穫部４にて収穫された収穫物を機体後方側に搬送して後方側から排出するフィーダ５と、フィーダ５の下方側に位置してフィーダ５から排出される収穫物に排塵用の風を供給する排塵ファン３７と、エンジン１１の動力が入力される中継伝動軸５７と、フィーダ５に対して機体横幅方向一方側において、中継伝動軸５７からフィーダ５の駆動軸５８及び排塵ファン３７の駆動軸３９の夫々に動力を伝達する伝動機構Ｄとが備えられている。【選択図】図３
2014068565.tif 000002
【特許請求の範囲】
【請求項１】
機体前部に位置して収穫物を収穫する収穫部と、
前記収穫部にて収穫された収穫物を機体後方側に搬送して後方側から排出するフィーダと、
前記フィーダの下方側に位置して前記フィーダから排出される収穫物に排塵用の風を供給する排塵ファンと、
エンジンの動力が入力される中継伝動軸と、
前記フィーダに対して機体横幅方向一方側において、前記中継伝動軸から前記フィーダの駆動軸及び前記排塵ファンの駆動軸の夫々に動力を伝達する伝動機構とが備えられているトウモロコシ収穫機。
【請求項２】
前記フィーダの駆動軸が、前記フィーダにおける収穫物搬送方向の終端部に位置し、
前記排塵ファンの駆動軸が、前記フィーダの搬送経路途中の下方側に位置する状態で備えられている請求項１記載のトウモロコシ収穫機。
【請求項３】
前記排塵ファンの駆動軸が、前記フィーダの駆動軸よりも下方側に位置する状態で備えられている請求項１又は２記載のトウモロコシ収穫機。
【請求項４】
前記フィーダにおける機体横幅方向一方側の横側に作業者搭乗デッキが備えられている請求項１〜３のいずれか１項に記載のトウモロコシ収穫機。
【請求項５】
前記作業者搭乗デッキが、前記フィーダの駆動軸及び前記排塵ファンの駆動軸よりも下方側に位置する状態で備えられている請求項４記載のトウモロコシ収穫機。
【請求項６】
前記中継伝動軸が、車体フレームの下方側に位置して車体横幅方向に延びる状態で備えられている請求項１〜５のいずれか１項に記載のトウモロコシ収穫機。
【請求項７】
前記伝動機構は、前記中継伝動軸から前記排塵ファンの駆動軸に動力が伝達する伝動ベルトと、前記排塵ファンの駆動軸から前記フィーダの駆動軸に動力を伝達する伝動チェーンとを備える請求項１〜６のいずれか１項に記載のトウモロコシ収穫機。
【請求項８】
前記伝動ベルトが前記伝動チェーンよりも機体横幅方向外方側に位置する請求項７記載のトウモロコシ収穫機。
【請求項９】
前記伝動チェーンの内周面が前記排塵ファンの駆動軸に備えられたファン駆動用スプロケットに巻き掛けられ、前記伝動チェーンの外周面が前記フィーダの駆動軸に備えられたフィーダ用スプロケットに巻き掛けられている請求項７又は８記載のトウモロコシ収穫機。
【請求項１０】
前記フィーダの駆動軸に設定トルクよりも大きい駆動負荷が掛かると、前記伝動チェーンと前記フィーダ用スプロケットとが歯飛びして相対回動するように、前記フィーダ用スプロケットに対する前記伝動チェーンの巻き掛け角度が設定されている請求項９記載のトウモロコシ収穫機。
【請求項１１】
前記伝動チェーンにおける前記フィーダ用スプロケットとの巻き掛け箇所よりも回動方向上手側箇所、及び、前記巻き掛け箇所よりも回動方向下手側箇所のうちのいずれか一方に、位置固定型のスプロケットが備えられ、他方にテンション作用位置を変更可能なテンションスプロケットが備えられている請求項１０記載のトウモロコシ収穫機。
【請求項１２】
前記フィーダにより収穫物と共に排出される非収穫物を収穫物の排出方向と異なる方向に掻き出す掻き出し装置が備えられ、
前記伝動機構は、前記フィーダに対して機体横幅方向一方側において、前記掻き出し装置に動力を伝達する請求項１〜１１のいずれか１項に記載のトウモロコシ収穫機。
【請求項１３】
前記フィーダにより収穫物と共に排出される非収穫物を収穫物を貯留する貯留部とは異なる方向に掻き出す掻き出し装置が備えられ、
前記伝動機構は、前記フィーダに対して機体横幅方向一方側において、前記掻き出し装置に動力を伝達する請求項１〜１２のいずれか１項に記載のトウモロコシ収穫機。
【請求項１４】
前記掻き出し装置により掻き出された非収穫物を細断処理する細断装置が備えられ、
前記伝動機構は、前記フィーダに対して機体横幅方向一方側において、前記細断装置に動力を伝達する請求項１２又は１３記載のトウモロコシ収穫機。
【請求項１５】
前記伝動機構は、前記掻き出し装置及び前記細断装置の夫々に対して動力を伝達するように構成されている請求項１４記載のトウモロコシ収穫機。
【請求項１６】
前記エンジンの動力が伝動ベルトを介して前記中継伝動軸に伝達される請求項１〜１５４のいずれか１項に記載のトウモロコシ収穫機。
【請求項１７】
前記エンジンが前記フィーダに対して機体横幅方向他方側に備えられている請求項１〜１６のいずれか１項に記載のトウモロコシ収穫機。
【請求項１８】
前記フィーダにおける機体横幅方向一方側の横側に作業者搭乗デッキが備えられ、
前記作業者搭乗デッキと前記エンジンとが前記フィーダを挟んで機体横幅方向に沿って対向する位置に配備されている請求項１７記載のトウモロコシ収穫機。
【請求項１９】
前記エンジンの上方にラジエータが備えられている請求項１〜１８のいずれか１項に記載のトウモロコシ収穫機。
【発明の詳細な説明】
【技術分野】
【０００１】
本発明は、トウモロコシから多数の種子を備えた収穫物を収穫するようにしたトウモロコシ収穫機に関する。
【背景技術】
【０００２】
トウモロコシ収穫機は、走行車体を走行させながら植立しているトウモロコシから収穫物を収穫して、その収穫した収穫物を貯留部に投入して貯留するように構成されている（例えば、特許文献１参照。）。特許文献１では、収穫された収穫物を、横向き搬送するコンベヤ及び前後向き搬送するコンベヤ等の複数のコンベアにより、貯留部に搬送するようにしているが、この構成とは異なり、次のように構成されたものもある。
【０００３】
すなわち、収穫された収穫物をフィーダによって機体後方に向けて搬送させて貯留部に落下放出させ、且つ、フィーダにて搬送される収穫物に排塵用の風を供給して塵埃を除去するように構成されたものである。そして、この構成において、フィーダ及び排塵用の風を生起する送風装置を夫々駆動するにあたり、従来では、フィーダ用の伝動構造と送風装置用の伝動構造とを、フィーダの左右両側に振り分ける状態で配備させるようになっていた。
【先行技術文献】
【特許文献】
【０００４】
【特許文献１】特開２０１１−９２１３５号公報
【発明の概要】
【発明が解決しようとする課題】
【０００５】
上記従来構成では、点検や修理等のメンテナンス作業を行う場合、作業者は、フィーダ用の伝動構造に対するメンテナンス作業と、送風装置用の伝動構造に対するメンテナンス作業とを夫々異なる箇所で別々に行わなければならず、能率よく作業を行うことができない不利があった。
【０００６】
本発明の目的は、メンテナンス作業の作業能率を向上させることが可能となるトウモロコシ収穫機を提供する点にある。
【課題を解決するための手段】
【０００７】
本発明に係るトウモロコシ収穫機の特徴構成は、機体前部に位置して収穫物を収穫する収穫部と、前記収穫部にて収穫された収穫物を機体後方側に搬送して後方側から排出するフィーダと、前記フィーダの下方側に位置して前記フィーダから排出される収穫物に排塵用の風を供給する排塵ファンと、エンジンの動力が入力される中継伝動軸と、前記フィーダに対して機体横幅方向一方側において、前記中継伝動軸から前記フィーダの駆動軸及び前記排塵ファンの駆動軸の夫々に動力を伝達する伝動機構とが備えられている点にある。
【０００８】
本発明によれば、エンジンの動力が中継伝動軸に入力され、その中継伝動軸から、フィーダに対して機体横幅方向一方側に備えられた伝動機構によって、フィーダの駆動軸及び排塵ファンの駆動軸の夫々に動力が伝達される。
【０００９】
そして、収穫部にて収穫された収穫物がフィーダによって機体後方に向けて搬送され、且つ、フィーダにて搬送される収穫物に排塵用の風が供給されて収穫物から塵埃を除去させることができる。
【００１０】
又、フィーダに対して機体横幅方向一方側に伝動機構が備えられるので、伝動機構に対するメンテナンス作業を行う場合、フィーダの駆動軸に対するメンテナンス作業と、排塵ファンの駆動軸に対するメンテナンス作業とを同じ場所で能率よく行うことができる。
【００１１】
従って、メンテナンス作業の作業能率を向上させることが可能となるトウモロコシ収穫機を提供できるに至った。
【００１２】
本発明においては、前記フィーダの駆動軸が、前記フィーダにおける収穫物搬送方向の終端部に位置し、前記排塵ファンの駆動軸が、前記フィーダの搬送経路途中の下方側に位置する状態で備えられていると好適である。
【００１３】
本構成によれば、排塵ファンは、フィーダの搬送経路途中の下方側に備えられている。従って、排塵ファンをフィーダの搬送経路の終端部付近に位置する状態で備えれば、吹き飛ばした塵埃を車外に開放された車体上方に向けて排出させることができる。
【００１４】
本発明においては、前記排塵ファンの駆動軸が、前記フィーダの駆動軸よりも下方側に位置する状態で備えられていると好適である。
【００１５】
本構成によれば、中継伝動軸からの動力が排塵ファンの駆動軸に伝達されたのち、その排塵ファンの駆動軸からフィーダの駆動軸に伝達するような伝動構造を採用する場合に、排塵ファンの駆動軸をフィーダの駆動軸よりも下方側におけるスペースを有効に利用して配備することで、前後方向にコンパクトに配備させることが可能となる。
【００１６】
本発明においては、前記フィーダにおける機体横幅方向一方側の横側に作業者搭乗デッキが備えられていると好適である。
【００１７】
本構成によれば、伝動機構が備えられるフィーダにおける機体横幅方向一方側の横側に作業者搭乗デッキが備えられる。作業者は、この作業者搭乗デッキに乗っている状態で近い場所から伝動機構に対するメンテナンス作業を行うことができる。
【００１８】
従って、作業者搭乗デッキを利用することで、車体の外方側において別体の作業台を用意する等の煩わしさがなく、能率よくメンテナンス作業を行うことができる。
【００１９】
本発明においては、前記作業者搭乗デッキが、前記フィーダの駆動軸及び前記排塵ファンの駆動軸よりも下方側に位置する状態で備えられていると好適である。
【００２０】
本構成によれば、フィーダの駆動軸や排塵ファンの駆動軸が作業者搭乗デッキより上方側に位置するので、作業者搭乗デッキに乗った状態で、作業者が、フィーダの駆動軸や排塵ファンの駆動軸に対して楽な姿勢で容易に手が届くことになる。その結果、作業者が無理な体勢で作業する等の煩わしさがなく、能率よくメンテナンス作業を行うことができる。
【００２１】
本発明においては、前記中継伝動軸が、車体フレームの下方側に位置して車体横幅方向に延びる状態で備えられていると好適である。
【００２２】
本構成によれば、中継伝動軸を車体フレームの下方側の広い空間を利用して備えることで、この中継伝動軸を、車体フレームの上方側に設けられるエンジンや収穫作業用の各種の装置類の配置を邪魔することなく、エンジンの入力箇所からフィーダの車体横幅方向一方側箇所に向けて車体横幅方向に延びる状態で配備することができる。
【００２３】
本発明においては、前記伝動機構は、前記中継伝動軸から前記排塵ファンの駆動軸に動力が伝達する伝動ベルトと、前記排塵ファンの駆動軸から前記フィーダの駆動軸に動力を伝達する伝動チェーンとを備えると好適である。
【００２４】
本構成によれば、エンジンの動力が中継伝動軸から伝動ベルト及び排塵ファンの駆動軸を介して、排塵ファン及びフィーダに動力が伝達される。このように伝動ベルトを介して動力が伝達されるので、排塵ファン及びフィーダにおいて、塵埃が詰まって回転が阻害されたような場合に、エンジンからの動力伝達が継続されても、伝動ベルトがプーリとの間でスリップすることにより、排塵ファンやフィーダに対して無理な力が掛かることを回避できて、排塵ファンやフィーダが破損することを回避できる。
【００２５】
ところで、排塵ファンは排塵用の風を生起するために高速で駆動する必要があるが、フィーダは、高速で駆動すると収穫物を傷めるおそれがあるので低速で駆動する方がよい。そこで、排塵ファンの駆動軸とフィーダの駆動軸との間での減速比率を大きく必要がある。
【００２６】
排塵ファンの駆動軸からフィーダの駆動軸に動力伝達するにあたり、伝動ベルトを介して伝動させる構成を採用する場合であれば、排塵ファンの駆動軸とフィーダの駆動軸との間での減速比率を大きくすると、駆動側のプーリの径が小さくなり、スリップが生じるおそれが大となる。これに対して伝動チェーンを介して伝動させる構成を採用する場合であれば、伝動チェーンとスプロケットとの間でスリップは発生しないので、大きな減速比率に設定し易いものとなる。
【００２７】
そこで、本構成では、排塵ファンの駆動軸からフィーダの駆動軸に伝動チェーンを介して動力を伝達する構成とすることで、排塵ファンを高速で駆動しながらも、大きな減速比率で減速させて低速の動力をフィーダに伝達させることが可能となる。
【００２８】
従って、排塵ファンやフィーダが破損することを回避することが可能であり、しかも、排塵ファンを高速で駆動し且つフィーダを低速で駆動することができる。
【００２９】
本発明においては、前記伝動ベルトが前記伝動チェーンよりも機体横幅方向外方側に位置すると好適である。
【００３０】
本構成によれば、伝動ベルトが機体横幅方向外方側に位置するので、伝動ベルトをプーリから取り外すことができ、交換や修理等のメンテナンス作業を容易に行うことができる。これに対して、伝動ベルトを伝動チェーンよりも機体横幅方向内方側に位置させると、伝動ベルトを取り外す場合には、伝動チェーンも合わせて取り外す必要があり、メンテナンス作業を能率よく行えないおそれがある。
【００３１】
伝動チェーンは、チェーンリンクの連結を解除して分離させることができるので、伝動チェーンが伝動ベルトよりも機体横幅方向内方側に位置していても、メンテナンス作業を行うことができる。
【００３２】
従って、伝動チェーンと伝動ベルトの配置を合理的に構成することで、伝動チェーンと伝動ベルトとのいずれに対しても、修理交換等のメンテナンス作業が行い易いものになる。
【００３３】
本発明においては、前記伝動チェーンの内周面が前記排塵ファンの駆動軸に備えられたファン駆動用スプロケットに巻き掛けられ、前記伝動チェーンの外周面が前記フィーダの駆動軸に備えられたフィーダ用スプロケットに巻き掛けられていると好適である。
【００３４】
例えば、大きな減速比率を設定するために、ファン駆動用スプロケットを小径に、フィーダ用スプロケットを大径に設けることがある。
本構成によれば、小径のファン駆動用スプロケットに伝動チェーンの内周面が巻き掛けられ、大径のフィーダ用スプロケットに伝動チェーンの外周面が巻き掛けられるので、小径のファン駆動用スプロケットに対しては充分に大きい巻き掛け角度にて巻回させることができ、動力を十分に伝える状態で連動連係させることができる。一方、大径のフィーダ用スプロケットに対しては、伝動チェーンの外周面を巻き掛けるので、少ない巻き掛け角度であっても動力を伝える状態で連動連係させることができる。
【００３５】
本発明においては、前記フィーダの駆動軸に設定トルクよりも大きい駆動負荷が掛かると、前記伝動チェーンと前記フィーダ用スプロケットとが歯飛びして相対回動するように、前記フィーダ用スプロケットに対する前記伝動チェーンの巻き掛け角度が設定されていると好適である。
【００３６】
本構成によれば、例えば、フィーダが搬送詰まりを起す等により駆動軸に大きい駆動負荷が掛かると、伝動チェーンとフィーダ用スプロケットとが歯飛びして相対回動することで、伝動機構に無理な力が掛かることを回避できる。
【００３７】
つまり、フィーダ用スプロケットに対する伝動チェーンの巻き掛け角度を適正なものに設定しておくことで、簡易的なトルクリミッターとしての機能を持たせることができ、伝動機構が破損する等の不利を未然に回避できるものとなる。
【００３８】
本発明においては、前記伝動チェーンにおける前記フィーダ用スプロケットとの巻き掛け箇所よりも回動方向上手側箇所、及び、前記巻き掛け箇所よりも回動方向下手側箇所のうちのいずれか一方に、位置固定型のスプロケットが備えられ、他方にテンション作用位置を変更可能なテンションスプロケットが備えられていると好適である。
【００３９】
本構成によれば、テンションスプロケットのテンション作用位置を変更することにより、フィーダ用スプロケットに対する伝動チェーンの巻き掛け角度を適宜変更させることができる。
【００４０】
このように伝動チェーンの巻き掛け角度を変更することで、トルクリミッターとして機能するときに相対回動を開始する設定トルクを適切な値に変更調整することができる。
【００４１】
本発明においては、前記フィーダにより収穫物と共に排出される非収穫物を収穫物の排出方向と異なる方向に掻き出す掻き出し装置が備えられ、前記伝動機構が、前記フィーダに対して機体横幅方向一方側において、前記掻き出し装置に動力を伝達すると好適である。
【００４２】
本構成によれば、収穫物と共に排出される非収穫物、例えば、トウモロコシの葉屑や茎稈屑等が、掻き出し装置によって、フィーダによる収穫物の排出方向と異なる方向に掻き出される。つまり、非収穫物を収穫物の排出方向と異なる方向に掻き出すので、非収穫物が混入されない状態で良好に収穫物を回収することができる。
【００４３】
そして、掻き出し装置に対する動力伝達も、フィーダの機体横幅方向一方側において行われるので、掻き出し装置に対する伝動作用部のメンテナンス作業を能率よく行うことができる。
【００４４】
本発明においては、前記フィーダにより収穫物と共に排出される非収穫物を収穫物を貯留する貯留部とは異なる方向に掻き出す掻き出し装置が備えられ、前記伝動機構が、前記フィーダに対して機体横幅方向一方側において、前記掻き出し装置に動力を伝達すると好適である。
【００４５】
本構成によれば、収穫物は貯留部に貯留されるようにフィーダにより搬送される。一方、収穫物と共に排出される非収穫物、例えば、トウモロコシの葉屑や茎稈屑等は、掻き出し装置によって、収穫物を貯留する貯留部とは異なる方向に掻き出される。このようにして、非収穫物が貯留部に混入することを回避することができる。
【００４６】
そして、掻き出し装置に対する動力伝達も、フィーダの機体横幅方向一方側において行われるので、掻き出し装置に対する伝動作用部のメンテナンス作業を能率よく行うことができる。
【００４７】
本発明においては、前記掻き出し装置により掻き出された非収穫物を細断処理する細断装置が備えられ、前記伝動機構が、前記フィーダに対して機体横幅方向一方側において、前記細断装置に動力を伝達すると好適である。
【００４８】
本構成によれば、掻き出し装置により掻き出された葉屑や茎稈屑等の非収穫物は細断装置によって細断処理されて、排塵ファンの排風により外方に排出される。
【００４９】
そして、細断装置に対する動力伝達も、フィーダの機体横幅方向一方側において行われるので、掻き出し装置に対する伝動作用部のメンテナンス作業を能率よく行うことができる。
【００５０】
本発明においては、前記伝動機構は、前記掻き出し装置及び前記細断装置の夫々に対して動力を伝達するように構成されていると好適である。
【００５１】
本構成によれば、伝動機構は、中継伝動軸からフィーダの駆動軸及び排塵ファンの駆動軸の夫々に動力を伝達するとともに、それらフィーダの駆動軸及び排塵ファンの駆動軸に伝達された動力を、さらに掻き出し装置及び細断装置の夫々に対して伝達するのである。
【００５２】
従って、掻き出し装置及び細断装置に対して単独で各別に動力を伝達するものに比べて、効率よく動力を伝達することができる。
【００５３】
本発明においては、前記エンジンの動力が伝動ベルトを介して前記中継伝動軸に伝達されると好適である。
【００５４】
本構成によれば、中継伝動軸よりも伝動下手側において、過大な駆動負荷が発生しても、エンジンと中継伝動軸との間に備えられた伝動ベルトがスリップしてトルクリミッターとしての機能を果たすことができ、中継伝動軸よりも伝動下手側の伝動系が破損する等の不利を回避できる。
【００５５】
本発明においては、前記エンジンが前記フィーダに対して機体横幅方向他方側に備えられていると好適である。
【００５６】
本構成によれば、フィーダに対して機体横幅方向他方側の箇所には、伝動機構が存在しないので、その領域が空きスペースとなる。そこで、その空いたスペースを利用して、エンジンを配置させることができる。
【００５７】
本発明においては、前記フィーダにおける機体横幅方向一方側の横側に作業者搭乗デッキが備えられ、前記作業者搭乗デッキと前記エンジンとが前記フィーダを挟んで機体横幅方向に沿って対向する位置に配備されていると好適である。
【００５８】
本構成によれば、作業者搭乗デッキとエンジンとの間にフィーダが存在するので、作業者搭乗デッキにいる作業者がエンジンによる高温に晒されることがなく、伝動機構のメンテナンス作業時における作業環境が悪化することを回避できる。しかも、作業者搭乗デッキにてメンテナンス作業が行われる伝動機構とエンジンとが機体横幅方向に沿って対向する位置に配備されるから、エンジンからの伝動機構に対する伝動構成が、例えば、フィーダの下方あるいは上方を通して配備させることができ、車体前後方向にコンパクトに伝動構造を配備させることができる。
【００５９】
本発明においては、前記エンジンの上方にラジエータが備えられていると好適である。
【００６０】
本構成によれば、例えば、エンジンをフィーダの横側の低い位置に配備すると、そのエンジンの上方に空きスペースができるので、その空きスペースを利用してラジエータを備えるようにした。その結果、エンジンとラジエータとを車体横幅方向に並べる構成に比べて、車体横幅方向の寸法をコンパクトにすることができる。
【００６１】
このようにスペースを有効利用して、エンジンとラジエータとを車体横幅方向の寸法をコンパクトにさせた状態で合理的に配備することができる。
【図面の簡単な説明】
【００６２】
【図１】トウモロコシ収穫機の右側面図である。
【図２】トウモロコシ収穫機の平面図である。
【図３】トウモロコシ収穫機の左側面図である。
【図４】フィーダ後端部における伝動機構を示す側面図である。
【図５】フィーダ後端部における縦断側面図である。
【図６】フィーダの横断平面図である。
【図７】伝動系統を示す図である。
【図８】掻き出し装置の一部切欠平面図である。
【図９】別実施形態のフィーダ後端部における伝動機構を示す側面図である。
【発明を実施するための形態】
【００６３】
以下、本発明の実施形態に係るトウモロコシ収穫機について図面に基づいて説明する。
図１〜図３に示すように、本発明に係るトウモロコシ収穫機は、左右一対の前輪１と左右一対の後輪２とを備えた走行車体３と、この走行車体３の前部に位置する収穫部としての収穫処理装置４と、収穫処理装置４の後部から走行車体３の上方にわたって後方上がりの状態で前後方向に延びる搬送装置としてのフィーダ５と、走行車体３の後部に位置する回収部としての回収タンク６と、走行車体３の下部であって前輪１と後輪２との間の前後中間部に位置する残稈処理装置７とを備えて構成されている。
【００６４】
トウモロコシは、植立する茎稈に対し収穫時期に多数の種子（実）を内包する房状部を作る。この房状部は、包葉の内部に多数の種子が含まれ、この種子は棒状の芯の外面に整列する形態で形成される。本発明に係るトウモロコシ収穫機は、包葉の内部に多数の種子を備えた房状部を収穫物として収穫して回収するものである。
【００６５】
すなわち、このトウモロコシ収穫機では、収穫作業時には、前輪１の駆動により走行車体３を走行させ、収穫処理装置４で収穫した収穫物がフィーダ５によって回収タンク６に向けて搬送されて、回収タンク６に貯留される。そして、収穫時に圃場に残された茎稈は残稈処理装置７により細断処理される。残稈処理装置７は、詳述はしないが、横軸芯周りで駆動回転されるハンマーナイフ式の細断装置であり、収穫時に圃場に残された茎稈を細かく細断する。
【００６６】
走行車体３は、車体前部に上方がキャビン８により覆われる状態で運転部９が備えられ、その運転部９の後方に原動部１０が備えられている。そして、走行車体３は、左右向き固定状態の左右一対の前輪１が、原動部１０に設けたエンジン１１によって駆動されて自走する。また、後輪２は油圧操作式の操向シリンダ（図示せず）によって操向操作自在に設けられている。
【００６７】
図２及び図３に示すように、キャビン８の左側出入り口の横外側に、乗降デッキ１２及び乗降階段１３が設けられている。乗降階段１３は、上下向きの揺動軸芯まわりに揺動操作することにより、前輪１の横外側に位置した使用位置と、前輪１の後側に位置した格納位置とに切り換えできるようになっている。
【００６８】
走行車体３のうち、フィーダ５に対して車体横幅方向左側（機体横幅方向一方側の一例）の横側部に、作業者搭乗デッキ１４が備えられ、この作業者搭乗デッキ１４に、車体操縦を行う作業者とは別の作業者（補助作業者）が搭乗して、フィーダ５の搬出状況を監視するなどの補助作業を行えるようになっている。作業者搭乗デッキ１４は、前端が乗降デッキ１２の後端の近くに位置するよう配備されている。乗降階段１３及び作業者搭乗デッキ１４には、作業者が身体を支えるための保護部材１３Ａ，１４Ａが設けられている。
【００６９】
作業者搭乗デッキ１４は、エンジン１１に供給される燃料を貯留するための燃料タンク１５の上方に位置しており、燃料タンク１５の上方を覆うカバー機能を備えている。又、原動部１０には、エンジン１１、エンジン冷却用のラジエータ１６、吸気ケース１７、燃焼用空気を吸気するエアクリーナ１８及びプレクリーナ１９等が備えられている。
【００７０】
図２に示すように、エンジン１１は、フィーダ５に対して機体横幅方向右方側（機体横幅方向他方側の一例）に備えられている。又、図１に示すように、ラジエータ１６及び吸気ケース１７は、エンジン１１の上方に位置する状態で配備されており、エンジン支持フレーム部２４から立設した縦向き支持フレーム２４ｆにより支持されている。
【００７１】
図１に示すように、作業者搭乗デッキ１４とエンジン１１とがフィーダ５を挟んで機体横幅方向に沿って対向する位置に配備されている。
【００７２】
収穫処理装置４は、車体フレームＦにおける運転部フレーム２３に横軸芯Ｐ１周りで揺動自在に支持され、車体フレームＦの下部に支持された左右一対の油圧操作式の収穫処理装置用の昇降シリンダＣ１（以下、収穫処理シリンダと略称する）により駆動昇降自在に設けられている。
【００７３】
図１及び図２に示すように、収穫処理装置４は、横方向に並列する３列の導入経路が形成され、各々の導入経路を挟む位置に左右一対の収穫ロール２５、その上部の位置する左右一対の無端搬送チェーン２６等を備えている。詳述はしないが、収穫ロール２５は、導入経路と平行する姿勢の回転軸芯を中心に回転自在に支持され、導入されるトウモロコシの植立茎稈から収穫物（房状部）を引き千切って分離させるものである。
【００７４】
又、複数の収穫ロール２５と複数の無端搬送チェーン２６との後方位置には収穫物を横方向の中央位置に移送するオーガ２７が備えられている。このオーガ２７が、３列の導入経路にて夫々、植立茎稈から分離された収穫物を横方向の中央位置に移送させる。そして、このオーガ２７は、収穫物をその送出口からフィーダ５の搬送始端部に設けられた投入口（図示せず）に供給する。
【００７５】
フィーダ５は、図５及び図６に示すように、後方側ほど上方に向かう斜め姿勢のフィーダケース２８内に、左右一対の無端回動チェーン２９に亘って設定間隔をあけて複数の搬送プレート３０ｂが架設支持される状態で備えられている。このフィーダ５は、搬送コンベアとして機能するものであり、投入口から供給された収穫物を搬送案内板３０ａの上面側に沿わせて搬送プレート３０ｂにて押し移動しながら搬送する。フィーダケース２８の後端部（搬送終端部）には機体後方向きに開口する排出部３１が形成され、搬送してきた収穫物を排出部３１から回収タンク６の上方に機体後方向きに排出する。フィーダ５は、車体フレームＦから固定立設した左右一対の支柱４２により後部側箇所が支持されている。
【００７６】
図５及び図６に示すように、フィーダ５の後部に、フィーダ５により収穫物と共に排出される非収穫物、例えば葉屑や茎稈屑等を収穫物の排出方向と異なる方向に掻き出す掻き出し装置４３と、掻き出し装置４３により掻き出された非収穫物を細断処理する細断装置４４とが、フィーダケース２８の後端部に連設された処理ケース４５の内部に備えられている。
【００７７】
掻き出し装置４３は、処理ケース４５の内部のフィーダ５の排出部３１より後方に位置する箇所に一対の掻込み回転体４６ａ，４６ｂを備えている。この一対の掻込み回転体４６ａ，４６ｂは、夫々の回転支軸４７ａ，４７ｂの軸芯周りで回転する円筒状体４８ａ，４８ｂの外周部に、周方向に適宜間隔をあけて軸芯方向に沿って複数の長尺の掻込みバー４９ａ，４９ｂが固定されている。
【００７８】
そして、一対の掻込み回転体４６ａ，４６ｂは、夫々の掻込みバー４９ａ，４９ｂが互いに回転位相を異ならせて回転するように、後述する伝動機構Ｄによって逆回転方向に回転駆動される。
【００７９】
図５及び図６に示すように、細断装置４４は、処理ケース４５の内部で回転駆動される回転刃５０と、回転刃５０の回転域の外側近くに配置して処理ケース４５の内部に固定された固定刃５１とを備えて、その回転刃５０と固定刃５１とにより非収穫物を細断処理する。
【００８０】
そして、回転刃５０と固定刃５１とにより細断した処理物を、回転刃５０の回転による放出作用により、回転刃５０の回転域の外周囲に配備してある放出ガイド体５２に沿わせて排出口５３から後方上方向きに放出する。排出口５３から飛散した処理物は、排出口５３の上方に位置する傾斜ガイド板５４による案内を受けて後方下方向きに排出案内される。
【００８１】
従って、この構成によれば、フィーダ５によって搬送された収穫物（房状部）は、排出部３１から放出されるのに対し、収穫処理装置４の収穫の際の稈切れなどによって収穫物に混入して搬送された非収穫物は、搬送プレート３０ｂによる押し出しを受けて排出部３１から後方に突出する。排出部３１から後方に突出する非収穫物を、掻き出し装置４３によって受け取って後方に掻き出して細断装置４４に供給する。細断装置４４は、掻き出し装置４３によって供給された非収穫物を細断し、回転刃５０の回転による放出作用により、排出口５３から後方上方向きに放出するのである。
【００８２】
回収タンク６は、前側壁６ａ、後側壁６ｂ、及び、左右両側の横側壁６ｃを備えて平面視で矩形状に形成されるとともに、上部が開放された形状となっている。又、前部側底部６ｄが後方側程下方に位置する傾斜姿勢の傾斜面に形成され、後部側底部６ｅは水平面に形成されている。又、前側壁６ａは、上端縁６ａ１が左右両側の横側壁６ｃの上端縁６ｃ１よりも下方に位置するように、上部側が一部開放される形状となっており、その開放された領域から収穫物を受け入れるようになっている。
【００８３】
図４及び図５に示すように、回収タンク６における前側壁６ａの上部には、フィーダ５の排出部３１から排出された収穫物を回収タンク６の内部に案内する後下がり傾斜姿勢のタンク側案内面３２を構成する板状のタンク側案内体３３が備えられている。このタンク側案内体３３は、回収タンク６の前側壁６ａの上端縁６ａ１に沿って横方向に延びる状態で備えられた角筒状の桟部材３４に取り付けられ、前側壁６ａの上部から前方上方側に向けて突出するように設けられている。
【００８４】
又、フィーダ５には、排出部３１から排出された収穫物を回収タンク６に案内する後下がり傾斜姿勢のフィーダ側案内面３５を構成する板状のフィーダ側案内体３６が備えられている。このフィーダ側案内体３６は、タンク側案内体３３に対して少し間をあけて連なるように、タンク側案内体３３と略同じ傾斜角の後下がり姿勢にて設けられている。
【００８５】
図５に示すように、フィーダ５における排出部３１の下方側箇所には、フィーダケース２８の搬送終端部の下側に位置する状態で排塵ファン３７が備えられている。排塵ファン３７は、フィーダ５を支持するための左右両側の支柱４２の上下途中部と、フィーダケース２８の途中部とに亘って連結された左右両側の支持部材５５にて架設支持されている。
【００８６】
排塵ファン３７は、ファンケース３８及びファンケース３８の内部に横向き姿勢の駆動軸３９と一体回転する複数の送風翼体４０を備え、この送風翼体４０の回転により、ファンケース３８の外部の空気をファンケース３８の側面から吸引して風を発生させ、発生した風をファンケース３８の送風口３８ａから排出部３１を内側から外側に抜け出るように送出する。
【００８７】
図５に示すように、フィーダ側案内体３６に、排塵ファン３７から供給される風を上方に向けて通過させるための通風用のスリット４１が複数形成されている。
排塵ファン３７は、フィーダ側案内体３６に形成されたスリット４１を通して、排出部３１から吐出される収穫物に排塵用の風を供給し、収穫物に混在して吐出された葉の一部や茎稈の一部等の塵埃を風圧により吹き飛ばして収穫物と選別する。
【００８８】
次に、フィーダ５、排塵ファン３７、掻き出し装置４３、細断装置４４に対する伝動構造について説明する。
【００８９】
図７に示すように、エンジン１１の動力が、伝動ベルト５６を介して中継伝動軸５７に供給される。この中継伝動軸５７は、図３に示すように、車体フレームＦの下方側に位置して車体横幅方向に延びる状態で備えられている。
【００９０】
そして、フィーダ５に対して機体横幅方向左側において、中継伝動軸５７からフィーダ５の駆動軸５８及び排塵ファン３７の駆動軸３９の夫々に動力を伝達する伝動機構Ｄが備えられている。この伝動機構Ｄは、中継伝動軸５７から排塵ファン３７の駆動軸３９に動力を伝達する伝動ベルト５９と、排塵ファン３７の駆動軸３９からフィーダ５の駆動軸５８に動力を伝達する伝動チェーン６０とを備える。
【００９１】
説明を加えると、図３及び図７に示すように、中継伝動軸５７から排塵ファン３７の駆動軸３９に動力を伝達する伝動ベルト５９が備えられている。この伝動ベルト５９は、フィーダ５の機体横幅方向の左側箇所において上下方向に沿って延びる状態で中継伝動軸５７に設けられたプーリ６１と排塵ファン３７の駆動軸３９に設けられたプーリ６２とに亘って張設されている。
【００９２】
中継伝動軸５７に設けられたプーリ６１と排塵ファン３７の駆動軸３９に設けられたプーリ６２とは略同径であり、排塵ファン３７は中継伝動軸５７の回転動力と略同じ高速の回転動力にて駆動され、充分な風量の風を供給できる。
【００９３】
図５に示すように、フィーダ５の駆動軸５８が、フィーダ５における収穫物搬送方向の終端部に位置する状態で備えられている。これに対して、排塵ファン３７の駆動軸３９は、フィーダ５の搬送経路途中の下方側に位置する状態で備えられている。
【００９４】
図２及び図７に示すように、伝動ベルト５９よりも車体横幅方向内方側（フィーダ側）に位置する状態で伝動チェーン６０が備えられている。言い換えると、伝動ベルト５９が伝動チェーン６０よりも機体横幅方向外方側に位置する状態で備えられている。そして、この伝動チェーン６０は、図４に示すように、排塵ファン３７の駆動軸３９からフィーダ５の駆動軸５８だけでなく、掻き出し装置４３における他方の掻込み回転体４６の回転支軸４７にも動力を伝達する。
【００９５】
すなわち、伝動チェーン６０は、排塵ファン３７の駆動軸３９に設けられた駆動スプロケット６４、張力を付与するためのテンションスプロケット６５、フィーダ５の駆動軸５８に設けられたフィーダ用スプロケット６６、掻き出し装置４３における一方の掻込み回転体４６ａの回転支軸４７ａに設けられた掻き出し用のスプロケット６７、位置固定状態の案内用スプロケット６８の夫々に巻き掛けられる状態で設けられている。
【００９６】
テンションスプロケット６５は、フィーダケース２８に回動自在に支持されたテンションアーム６５Ａに回転自在に支持されるとともに、バネ６５Ｂによって伝動チェーン６０を押圧するように揺動付勢されている。
【００９７】
従って、伝動チェーン６０は、テンションスプロケット６５によって張力を付与されて、駆動スプロケット６４の動力をフィーダ用スプロケット６６及び掻き出し用のスプロケット６７に伝達させることができる。
【００９８】
駆動スプロケット６４は小径であり、フィーダ用スプロケット６６は大径であって、排塵ファン３７の駆動速度に比べ、フィーダ５の駆動速度が低速になるように減速させる構成となっている。しかも、減速比率が大となるように設定されている。
【００９９】
伝動チェーン６０及びフィーダ用スプロケット６６を介してフィーダ５の駆動軸５８に動力が伝達され、駆動軸５８に備えられたスプロケット２９Ａにより無端回動チェーン２９に動力が伝達される（図５及び図６参照）。
【０１００】
図６及び図８に示すように、掻き出し装置４３における他方の掻込み回転体４６ｂの回転支軸４７ｂと、一方の掻込み回転体４６ａの回転支軸４７ａとが、フィーダケース２８の機体横幅方向右側に設けられたギア連動機構Ｇによって、一対の掻込み回転体４６ａが非収穫物を後方に掻き出すように互いに逆方向に回転するように、連動連結されている。つまり、ギヤ連動機構Ｇは、一方の掻込み回転体４６ａの回転支軸４７ａに一体回転自在に設けたギヤ６９と、このギヤ６９に咬み合う状態で他方の掻込み回転体４６ｂの回転軸４７ｂに一体回転自在に設けたギヤ７０とを備えて構成される。
【０１０１】
ギア連動機構Ｇは、カバー体７１によって外方側が覆われている。このカバー体７１は、弾性変形自在な合成樹脂材にて一体形成され、ギア連動機構Ｇを支持するための支持部材７０Ａから延設した取付け部７０Ｂにボルト７１Ｃで固定されると、端縁が弾性力によって支持部材７０Ａに押し付けられる構成となっている。このように、弾性力によって隙間を閉じるように作用することで、シール材を不要としている。
【０１０２】
伝動チェーン６０を介して掻き出し用のスプロケット６７に伝達された動力は、掻き出し用のスプロケット６７と一体回転する掻込み回転体４６ａの回転支軸４７ａに備えられたスプロケット７８と細断装置４４の回転支軸７９に備えられたスプロケット８０とにわたって巻回された伝動チェーン８１を介して、細断装置４４に伝達される。
【０１０３】
図３に示すように、作業者搭乗デッキ１４は、フィーダ５の駆動軸５８及び排塵ファン３７の駆動軸３９よりも下方側に位置する状態で備えられており、作業者搭乗デッキ１４にて伝動機構Ｄのメンテナンス作業を容易に行うことができる。
【０１０４】
尚、中継伝動軸５７の動力は、図７に示すように、前部側の伝動チェーン７２を介して収穫処理装置４に供給され、伝動ケース７３及び伝動ベルト７４を介して残稈処理装置７にも供給される。
【０１０５】
〔別実施形態〕
（１）上記実施形態では、掻き出し装置４３と細断装置４４とを備える構成としたが、図９に示すように、掻き出し装置４３と細断装置４４とを備えないで、次のように構成してもよい。
【０１０６】
すなわち、排塵ファン３７の駆動軸３９からフィーダ５の駆動軸５８に動力を伝達する伝動チェーン６０として、伝動チェーン６０の内周面が排塵ファン３７の駆動軸３９に備えられた駆動スプロケット６４に巻き掛けられ、伝動チェーン６０の外周面がフィーダ５の駆動軸５８に備えられたフィーダ用スプロケット６６に巻き掛けられるものであって、フィーダ５の駆動軸５８に設定トルクよりも大きい駆動負荷が掛かると、伝動チェーン６０とフィーダ用スプロケット６６とが歯飛びして相対回動するように、フィーダ用スプロケット６６に対する伝動チェーン６０の巻き掛け角度が設定される構成である。
【０１０７】
つまり、伝動チェーン６０におけるフィーダ用スプロケット６６との巻き掛け箇所よりも回動方向下手側箇所に位置固定型のスプロケット７５が備えられ、回動方向上手側箇所に、テンション作用位置を変更可能なテンションスプロケット７６が備えられている。尚、巻き掛け箇所よりも回動方向下手側箇所にテンションスプロケット７６が備えられ、回動方向上手側箇所に位置固定型のスプロケット７５が備えられるものでもよい。
【０１０８】
この構成では、フィーダ用スプロケット６６に対する伝動チェーン６０の巻き掛け角度が小さいものとなり、伝動チェーン６０とフィーダ用スプロケット６６との間での歯飛びによってトルクリミッターとして機能させることができる。しかも、テンションスプロケット７６によるテンション作用位置を変更させることで、設定トルクを適宜変更調整することができる。
【０１０９】
又、収穫物に混ざり込む葉屑や茎稈屑等の非収穫物は、排塵ファン３７からの風により吹き飛ばされて案内ダクト７７の内部に送り込まれ、案内ダクト７７による排出案内を受けて機体外方に飛散するようにしている。
【０１１０】
（２）上記実施形態では、フィーダ５における機体横幅方向一方側の横側に作業者搭乗デッキ１４が備えられる構成としたが、作業者搭乗デッキ１４が備えられていないものでもよい。
【０１１１】
（３）上記実施形態では、フィーダ５の駆動軸５８が、フィーダ５における収穫物搬送方向の終端部に位置し、排塵ファン３７の駆動軸３９が、フィーダ５の搬送経路途中の下方側に位置する状態で備えられ、排塵ファン３７の駆動軸３９が、フィーダ５の駆動軸５８よりも下方側に位置する状態で備えられるものを示したが、各駆動軸３９，５８の位置関係はこのような構成に限定されるものではなく、適宜変更して実施してもよい。
【産業上の利用可能性】
【０１１２】
本発明は、トウモロコシを収穫するためのトウモロコシ収穫機に適用できる。
【符号の説明】
【０１１３】
４      収穫部
５      フィーダ
１１    エンジン
１４    作業者搭載デッキ
１６    ラジエータ
３７    排塵ファン
３９    駆動軸
４３    掻き出し装置
４４    細断装置
５６    伝動ベルト
５７    中継伝動軸
５８    駆動軸
５９    伝動ベルト
６０    伝動チェーン
６４    ファン駆動用スプロケット
６６    フィーダ用スプロケット
７５    位置固定型のスプロケット
７６    テンションスプロケット
Ｄ      伝動機構
Ｆ      車体フレーム
【図１】
2014068565.tif 000003
【図２】
2014068565.tif 000004
【図３】
2014068565.tif 000005
【図４】
2014068565.tif 000006
【図５】
2014068565.tif 000007
【図６】
2014068565.tif 000008
【図７】
2014068565.tif 000009
【図８】
2014068565.tif 000010
【図９】
2014068565.tif 000011